(57)【要約】      （修正有）【課題】店頭で衣服などの商品を購入しようとする場合に利用者が商品を身に付けた状態を簡単に確認、検討しやすい人物映像表示システムを提供する。【解決手段】人物の映像を撮影するように構成された映像取得手段２と、撮影された人物の映像を撮影された人物と略同一の大きさで撮影された人物の前で表示するように構成された映像表示手段３とを含む人物映像表示システム１であって、撮影映像を映像取得手段２が撮影した映像の向きでリアルタイムで表示するカメラモードと、撮影映像を映像取得手段２が撮影した映像とは左右逆転の鏡像の向きでリアルタイムで表示するミラーモードと、撮影された映像を映像取得手段２が撮影した映像の向きで又は映像取得手段２が撮影した映像とは左右逆転の鏡像の向きで撮影時から１〜１０秒間遅れて表示する遅れ表示モードとを含む選択肢の中で映像表示手段３に撮影映像を表示させるように構成されている。【選択図】図１
0003214134.tif 000002
【実用新案登録請求の範囲】
【請求項１】
人物の映像を撮影するように構成された映像取得手段と、撮影された人物の映像を撮影された人物と略同一の大きさで撮影された人物の前で表示するように構成された映像表示手段とを含む人物映像表示システムであって、撮影された映像を映像取得手段が撮影した映像の向きでリアルタイムで表示するカメラモードと、撮影された映像を映像取得手段が撮影した映像とは左右逆転の鏡像の向きでリアルタイムで表示するミラーモードと、撮影された映像を映像取得手段が撮影した映像の向きで又は映像取得手段が撮影した映像とは左右逆転の鏡像の向きで撮影時から１〜１０秒間遅れて表示する遅れ表示モードとを含む選択肢の中で映像表示手段によって撮影された映像を表示させるように構成されていることを特徴とする人物映像表示システム。
【請求項２】
撮影された映像及び/又は表示された映像を静止画として再生するように構成されていることを特徴とする請求項１に記載の人物映像表示システム。
【請求項３】
撮影された映像及び/又は表示された映像のデータを携帯電話又はコンピュータに無線で転送するように構成されていることを特徴とする請求項１又は２に記載の人物映像表示システム。
【請求項４】
選択肢の中から所望の表示モードを選択できるように構成された入力手段をさらに含むことを特徴とする請求項１〜３のいずれかに記載の人物映像表示システム。
【請求項５】
映像表示手段が、撮影された人物の全身の映像を撮影された人物と略同一の大きさで表示できるように構成されていることを特徴とする請求項１〜４のいずれかに記載の人物映像表示システム。
【考案の詳細な説明】
【技術分野】
【０００１】
本考案は、店頭で衣服などを着用した人物がその撮影映像を適切に確認できるように構成された人物映像表示システムに関する。ここで「映像」とは、静止画と動画の両方を含む概念である。
【背景技術】
【０００２】
百貨店や専門店などの店頭で衣服などの商品を購入する場合、利用者は、自分の嗜好に合う商品を選択して、それを身に付け、さらに自分の半身又は全身の像を鏡で確認するステップを経ることが一般的である。
【０００３】
しかしながら、利用者が商品を身に付けた状態を鏡で確認する場合、鏡の前に身体を写してリアルタイムで確認しなければならない問題があった。これに対して、鏡ではなく、カメラなどの映像取得手段を使用して、利用者の服装映像を撮影して映像表示したり、衣服などの商品映像と利用者の容姿映像とを予め取得し、これらを合成して映像表示するものが提案されている（特許文献１，２参照）。
【０００４】
特許文献１，２の装置は、店頭に行かず、スマートフォンなどに利用者の服装映像を表示させ、後でゆっくりと落ち着いて確認できる点で優れているが、店頭で利用者が商品選択する際の助けとなる態様で具体的に映像表示できるように構成されたものではなかった。
【先行技術文献】
【特許文献】
【０００５】
【特許文献１】特開２００１−２７３４４６号公報
【特許文献２】特開２０１７−７６３１５号公報
【考案の概要】
【考案が解決しようとする課題】
【０００６】
本考案は、上述の従来技術の現状に鑑みなされたものであり、その目的は、店頭で衣服などの商品を購入しようとする場合に利用者が商品を身に付けた状態を簡単に確認、検討しやすいように様々な態様で映像取得手段と映像表示手段とを使って適切に人物の撮影映像を示すことができる人物映像表示システムを提供することにある。
【課題を解決するための手段】
【０００７】
本考案者は、かかる目的を達成するために鋭意検討した結果、映像表示手段において撮影した人物の映像を撮影された人物と略同一の大きさで表示させるとともに、映像取得手段（カメラ）によって撮影された映像のまま表示するカメラモードだけでなく、その鏡像映像を表示するミラーモードと、撮影時から数秒遅れて映像を表示する遅れ表示モードを設けることによって、利用者が店頭でこれらの各モードの表示映像を見て衣服などの商品の選択を適切かつ容易に行なえることを見出し、本考案の完成に至った。
【０００８】
即ち、本考案は、以下の（１）〜（５）の構成を有するものである。
（１）人物の映像を撮影するように構成された映像取得手段と、撮影された人物の映像を撮影された人物と略同一の大きさで撮影された人物の前で表示するように構成された映像表示手段とを含む人物映像表示システムであって、撮影された映像を映像取得手段が撮影した映像の向きでリアルタイムで表示するカメラモードと、撮影された映像を映像取得手段が撮影した映像とは左右逆転の鏡像の向きでリアルタイムで表示するミラーモードと、撮影された映像を映像取得手段が撮影した映像の向きで又は映像取得手段が撮影した映像とは左右逆転の鏡像の向きで撮影時から１〜１０秒間遅れて表示する遅れ表示モードとを含む選択肢の中で映像表示手段によって撮影された映像を表示させるように構成されていることを特徴とする人物映像表示システム。
（２）撮影された映像及び/又は表示された映像を静止画として再生するように構成されていることを特徴とする（１）に記載の人物映像表示システム。
（３）撮影された映像及び/又は表示された映像のデータを携帯電話又はコンピュータに無線で転送するように構成されていることを特徴とする（１）又は（２）に記載の人物映像表示システム。
（４）選択肢の中から所望の表示モードを選択できるように構成された入力手段をさらに含むことを特徴とする（１）〜（３）のいずれかに記載の人物映像表示システム。
（５）映像表示手段が、撮影された人物の全身の映像を撮影された人物と略同一の大きさで表示できるように構成されていることを特徴とする（１）〜（４）のいずれかに記載の人物映像表示システム。
【考案の効果】
【０００９】
本考案の人物映像表示システムは、カメラモード、ミラーモード、遅れ表示モードを含む様々な映像表示モードで人物映像を表示することができるので、利用者が衣服などの商品を身に付けた場合にその状態をこれらの表示映像で容易かつ適切に確認することができる。特に、ミラーモードでは、鏡像として左右の方向が撮影された人物と同じ向きで表示されるため、利用者が表示映像を容易に確認・検討することができ、また、遅れ表示モードでは、撮影された人物が例えば映像表示手段の正面に向いておらず後向きであっても後向きに撮影された映像を正面に向いたときにすぐに確認・検討することができる。また、撮影された映像及び/又は表示された映像を静止画として再生するように構成されているので、撮影後に利用者が撮影された映像をゆっくりと確認・検討することができる。
【００１０】
本考案の人物映像表示システムは、撮影された映像及び/又は表示された映像のデータを携帯電話又はコンピュータに無線で転送できるように構成されているので、このシステムから離れた場所で後でゆっくりと取り込んだ映像データを確認・検討することができる。また、本考案の人物映像表示システムは、映像表示手段に表示させる各種モードの選択肢を入力手段により容易に選択することができる。さらに、本考案の人物映像表示システムは、映像表示手段が撮影された人物全体を略等身大で表示できるように構成されているので、利用者が衣服などの商品を身に付けた場合の映像を容易に実感することができる。
【図面の簡単な説明】
【００１１】
【図１】図１は、本考案の人物映像表示システムの一例の概略図である。
【図２】図２は、本考案の人物映像表示システムの別の例の概略図である。
【図３】図３は、図１の人物映像表示システムにおけるカメラモードの状態を示す。
【図４】図４は、図１の人物映像表示システムにおけるミラーモードの状態を示す。
【図５】図５は、図１の人物映像表示システムにおける遅れ表示モードの状態を示す。
【図６】図６は、図１の人物映像表示システムの改良例の概略図である。
【符号の説明】
【００１２】
１  人物映像表示システム
２  映像取得手段
３  映像表示手段
４  入力手段
５  試着室
【考案を実施するための形態】
【００１３】
本考案の人物映像表示システムの実施形態を図面を参照して以下に示すが、本考案は、これらに限定されるものではない。
【００１４】
本考案の人物映像表示システムは、百貨店や専門店などの店頭で利用者が衣服やアクセサリなどを試着して身に付けた場合にその試着状態を各種モードの撮影映像の表示により適切に確認・検討できるようにしたものであり、人物（利用者）の映像を撮影するように構成された映像取得手段と、撮影された人物の映像を撮影された人物と略同一の大きさで表示するように構成された映像表示手段と、所望により入力手段とを含むものである。
【００１５】
図１は、本考案の人物映像表示システムの一例の概略図である。図において、１は、人物映像表示システム、２は、映像取得手段、３は、映像表示手段、４は、入力手段である。映像取得手段２は、人物の映像を撮影することができ、かつその映像をデータとして転送することができれば十分であり、従来公知の様々なカメラを使用することができる。映像表示手段３は、映像取得手段２からの映像のデータを表示するためのものであり、液晶、有機ＥＬなどの従来公知の様々なカラー表示手段を使用することができる。映像表示手段３は、撮影された人物の映像（全身像、上半身像、下半身像などの映像）を撮影された人物と略同一の大きさで表示されることが好ましく、撮影された人物の前に表示されるように置かれる。例えば、図１の映像表示手段の画面サイズは９０インチである。入力手段４は、映像表示手段３の表示モードの選択、本システムのスイッチオン・オフ入力等を行なうためのものであり、ボタン、タッチパネルなどの従来公知の入力手段を使用することができる。
【００１６】
図２は、本考案の人物映像表示システムの別の例の概略図である。この図２の人物映像表示システムは、映像表示手段３が小さく、映像表示手段３が車輪付きの支持台の上に設けられている点が図１の人物映像表示システムとは実質的に異なる。図２の人物映像表示システムは、人物映像表示システムを頻繁に移動させる機会を持つ場合や、試着させる商品が人物（利用者）の全身を写さなくても確認・検討するのに十分な場合に適切である。
【００１７】
本考案の人物映像表示システムでは、撮影された映像を映像取得手段が撮影した映像の向きでリアルタイムで表示するカメラモードと、撮影された映像を映像取得手段が撮影した映像とは左右逆転の鏡像の向きでリアルタイムで表示するミラーモードと、撮影された映像を映像取得手段が撮影した映像の向きで又は映像取得手段が撮影した映像とは左右逆転の鏡像の向きで撮影時から１〜１０秒間遅れて表示する遅れ表示モードとを含む選択肢の中で映像表示手段に撮影された映像を表示させるように構成されていることを特徴とする。
【００１８】
図３は、図１の人物映像表示システムにおけるカメラモードの状態を示し、図４は、図１の人物映像表示システムにおけるミラーモードの状態を示し、図５は、図１の人物映像表示システムにおける遅れ表示モードの状態を示す。
【００１９】
カメラモードでは、図３に示すように、利用者は、商品を試着した後に映像取得手段２の前に立ち、映像取得手段２によって撮影された利用者の商品試着映像を映像取得手段２が撮影した映像の向きでリアルタイムで映像表示手段３に表示される。この場合、図３では、利用者の左側の腕が曲げられているが、映像表示手段３には曲げられた腕が利用者から見て右側に存在するように表示されている。
【００２０】
ミラーモードでは、図４に示すように、利用者は、商品を試着した後に映像取得手段２の前に立ち、映像取得手段２によって撮影された利用者の商品試着映像を映像取得手段２が撮影した映像とは左右逆転の鏡像の向きでリアルタイムで映像表示手段３に表示される。この場合、図４では、利用者の左側の腕が曲げられているが、映像表示手段３では曲げられた腕が利用者から見て左側に存在するように表示され、実際に利用者が鏡に写っているのと同じように表示される。
【００２１】
遅れ再生モードでは、撮影された映像をリアルタイムで表示するのではなく、撮影された映像を映像取得手段２が撮影した映像の向き又は映像取得手段２が撮影した映像とは左右逆転の鏡像の向きで撮影時から１〜１０秒間遅れて映像表示手段３に表示される。例えば後向きで撮影された映像は、撮影された本人が本来リアルタイムで見ることが難しいが、このモードでは、図５に示すように、後向きの商品試着映像が数秒遅れて映像表示手段３に表示されるため、利用者が映像表示手段３の正面に向きを変えてからすぐに後向きの自分の商品試着映像を確認することができる。
【００２２】
各種表示モードを実際に行うためには、映像取得手段２で撮影された映像のデータをいったん記憶する映像記憶装置を備えることが好ましい。映像記憶装置で記憶された映像は、所望の表示モードで映像表示装置３に出力することが好ましい。また、ミラーモードは、カメラモードの映像を鏡像変換する映像処理装置で実現することが好ましい。また、遅れモードは、カメラモード又はミラーモードの映像をいったん映像記憶装置に記憶させてから、撮影時から１〜１０秒間遅れて映像表示手段に表示させることで実現することが好ましい。これらの各装置は、従来公知のものを適宜採用すればよい。
【００２３】
本考案の人物映像表示システムでは、撮影された映像及び/又は表示された映像を静止画として再生するように構成されることができる。この場合、再生される映像の種類は、映像記憶装置で記憶された映像から自由に選択することができる。
【００２４】
本考案の人物映像表示システムでは、図に示すように前述のカメラモード、ミラーモード、遅れ表示モードなどの選択肢の中から所望の表示モードを選択できるように構成された入力手段４をさらに含むことが好ましい。入力手段は、ボタン、タッチパネルなどであることができ、利用者は、この入力手段４に触れることにより、表示モードを簡単に選択することができる。
【００２５】
本考案の人物映像表示システムでは、撮影された映像及び/又は表示された映像のデータを携帯電話又はコンピュータに無線で転送するように構成されることができる。この場合、例えばスマートフォンなどの携帯電話やパーソナルコンピュータからインターネット接続して映像のデータを取り込むことができる。
【００２６】
本考案の人物映像表示システムでは、百貨店や専門店などの店頭に置かれ、そこで利用者が実際に商品を試着して映像撮影及び映像表示が行なわれるので、例えば図６に示すように図１の人物映像表示システムに試着室５を組み合わせることもできる。
【産業上の利用可能性】
【００２７】
本考案の人物映像表示システムでは、店頭で衣服などの商品を購入しようとする場合に利用者が商品を身に付けた状態を映像表示装置の様々な映像により適切かつ容易に確認・検討できるので、商品購入検討者及び商品販売者にとって極めて有用である。
【図１】
0003214134.tif 000003
【図２】
0003214134.tif 000004
【図３】
0003214134.tif 000005
【図４】
0003214134.tif 000006
【図５】
0003214134.tif 000007
【図６】
0003214134.tif 000008